(57)【要約】【課題】同一の熱源を利用して、熱電発電と蒸気タービン発電を同時に行う効率的な発電システムを提案する。【解決手段】熱電発電装置の燃焼室の一部又は全部を熱電発電モジュールで形成し、熱エネルギーを減じることなく熱電発電を行い、燃焼に伴う排熱で蒸気タービン発電を行う発電システムを構築する。【選択図】図１
2012228159.tif 000002
【特許請求の範囲】
【請求項１】
燃焼装置を熱電発電モジュールで一部又は全部を形成することにより、燃焼行程において生じる該燃焼装置の内外の温度差を利用する発電方法。
【請求項２】
燃焼行程において、燃焼室に燃料を投入する行程と、該燃料に点火する行程と、炎に対し炎の外側から空気を供給する行程と、二次燃焼する行程と、排煙する行程を有する請求項１記載の発電方法。
【請求項３】
燃焼行程において、炎に対し通炎手段を有する仕切によって炎の進行を制御する行程を有する請求項１、又は２記載の発電方法。
【請求項４】
燃料を追加投入する行程を有する請求項１、２又は３記載の発電方法。
【請求項５】
気体燃料、液体燃料を追加投入する行程を有する請求項１、２、３又は４記載の発電方法。
【請求項６】
固体燃料を追加投入する行程を有する請求項１、２、３、４又は５記載の発電方法。
【請求項７】
固体燃料を投入する行程において、燃焼室に誘引気流を生じる行程を有する請求項１、２、３、４、５又は６記載の発電方法。
【請求項８】
二次燃焼行程において、前記燃焼室に連なる、炎の外側から空気を供給する行程を有する請求項１、２、３、４、５、６又は７記載の発電方法。
【請求項９】
二次燃焼行程において、炎の進行方向の後方から炎に対し空気を供給する行程を有する請求項１、２、３、４、５、６、７又は８記載の発電方法。
【請求項１０】
二次燃焼行程において、進行してくる炎に対し通炎手段を有する仕切のよって炎の進行を制御する行程を有する請求項１、２、３、４、５、６、７、８又は９記載の発電方法。
【請求項１１】
二次燃焼行程において、炎に対し空気を外側から供給する行程と、炎に対して空気を炎の進行方向の後方から供給する行程とを交互に重ね合わせる請求項１、２、３、４、５、６、７、８、９又は１０記載の発電方法。
【請求項１２】
固形燃料を乾燥する行程を有する請求項１、２、３、４、５、６、７、８、９、１０又は１１記載の発電方法。
【請求項１３】
乾燥行程において、被乾燥物を堆積場所に移送する行程と、堆積した該被乾燥物を堆積場所の下部から堆積場所の上部へ移送する行程と、乾燥した該被乾燥物を回収する行程を有する請求項１、２、３、４、５、６、７、８、９、１０、１１又は１２記載の発電方法。
【請求項１４】
前記堆積場所の下部から上部へ移送する行程において、前記被乾燥物を空気とともに吹き上げる請求項１、２、３、４、５、６、７、８、９、１０、１１，１２又は１３記載の発電方法。
【請求項１５】
乾燥行程において、前記堆積場所の下部から上部へ移送する行程を繰り返すことを特徴とする請求項１、２、３、４、５、６、７、８、９、１０、１１、１２、１３又は１４記載の発電方法。
【請求項１６】
乾燥行程において、堆積した前記被乾燥物の内部に空気を供給する行程を有する請求項１、２、３、４、５、６、７、８、９、１０、１１、１２、１３，１４又は１５記載の発電方法。
【請求項１７】
乾燥行程において、堆積した前記乾燥物を攪拌する行程を有する請求項１、２、３、４、５、６、７、８、９、１０、１１、１２、１３、１４、１５又は１６記載の発電方法。
【請求項１８】
乾燥行程において、堆積した前記被乾燥物を攪拌する際に、被乾燥物を浮かせる行程を有する請求項１、２、３、４、５、６、７、８、９、１０、１１、１２、１３、１４、１５、１６又は１７記載の発電方法。
【請求項１９】
乾燥行程において、浮かせた被乾燥物に空気を供給する行程を有する請求項１、２、３、４、５、６、７、８、９、１０、１１、１２、１３、１４、１５、１６、１７又は１８記載の発電方法。
【請求項２０】
乾燥した前記被乾燥物を回収する行程において、排気とともに回収する請求項１、２、３、４、５、６、７、８、９、１０、１１、１２、１３、１４、１５、１６、１７、１８又は１９記載の発電方法。
【請求項２１】
前記被乾燥物を前記堆積場所の下部から上部へ移送する行程において、空気とともに吹き上げるための循環用ダクトを設けた請求項１、２、３、４、５、６、７、８、９、１０、１１、１２、１３、１４、１５、１６、１７、１８、１９又は２０記載の発電方法。
【請求項２２】
前記循環用ダクトの取込口下部内壁及び曲折部内壁に前記被乾燥物を空気とともに吹き上げる気流の外側に誘引気流を生じる行程を有する請求項１、２、３、４、５、６、７、８、９、１０、１１、１２、１３、１４、１５、１６、１７、１８、１９、２０又は２１記載の発電方法。
【請求項２３】
燃焼行程において、乾燥行程で生じる排気を燃焼装置に燃焼用空気として供給する行程を有する請求項１、２、３、４、５、６、７、８、９、１０、１１、１２、１３、１４、１５、１６、１７、１８、１９、２０、２１又は２２記載の発電方法。
【請求項２４】
燃焼行程において、乾燥行程で生じる排気とともに固形燃料を燃焼装置へ供給する行程を有する請求項１、２、３、４、５、６、７、８、９、１０、１１、１２、１３、１４、１５、１６、１７、１８、１９、２０、２１、２２又は２３記載の発電方法。
【請求項２５】
燃焼行程においてヒートポンプの排熱を利用した燃焼用空気を送風手段によって供給する行程及び燃焼行程においてヒートポンプで生じる冷風又は冷媒を前記燃焼装置の外側に供給する行程の何れかの行程又は双方の行程を有する請求項１、２、３、４、５、６、７、８、９、１０、１１、１２、１３、１４、１５、１６、１７、１８、１９、２０、２１、２２、２３又は２４記載の発電方法。
【請求項２６】
発電行程において、ボイラと蒸気タービンによる発電を備えた発電方法を備えた請求項１、２、３、４、５、６、７、８、９、１０、１１、１２、１３、１４、１５、１６、１７、１８、１９、２０、２１、２２、２３、２４又は２５記載の発電方法。
【請求項２７】
乾燥行程において、蒸気タービンから排出される蒸気の排熱を利用する請求項１、２、３、４、５、６、７、８、９、１０、１１、１２、１３、１４、１５、１６、１７、１８、１９、２０、２１、２２、２３、２４、２５又は２６記載の発電方法。
【請求項２８】
電気的絶縁性の素材で形成した容体の内側の対向面上に夫々連続的に形成されてされ、両端に生ずる温度差で発電を行う複数個の熱伝変換素子を備えた熱電発電モジュールによって一部又は全部を形成した、燃料投入口、点火口又は点火装置及び排気口を具える発電装置。
【請求項２９】
前記発電装置において、燃焼室を筒状に形成し、該燃焼室の内側面に給気口を具え側面に孔を設けた筒状の空気噴射管を炎の進行方向に沿うように設けた請求項２８記載の発電装置。
【請求項３０】
前記空気噴射管の前記孔近傍に風向板を該空気噴射管に沿って設けた請求項２８、又は２９記載の発電装置。
【請求項３１】
前記燃焼室内部に通炎手段を設けた仕切を具える請求項２８、２９又は３０記載の発電装置。
【請求項３２】
前記燃焼室の側面に前記燃料投入口をパイプで成し、該パイプの内壁に誘引気流を生じるように気流噴射ノズルを設けた請求項２８、２９、３０又は３１記載の発電装置。
【請求項３３】
前記燃焼室に連なる炎の取り入れ手段を有する側面に孔を設けた筒状体の二次燃焼室を具えた請求項２８、２９、３０、３１又は３２記載の発電装置。
【請求項３４】
二次燃焼室と、該二次燃焼室と連通している炎の進行方向の後方から空気の取り入れる手段を設けた前記二次燃焼室より広径な二次燃焼室を具えた請求項２８、２９、３０、３１、３２又は３３記載の発電装置。
【請求項３５】
前記広径な二次燃焼室内部又は底部に通炎手段を設けた仕切を具える請求項２８、２９、３０、３１、３２、３３又は３４記載の発電装置。
【請求項３６】
前記各二次燃焼室を交互に重ね合わせた請求項２８、２９、３０、３１、３２、３３、３４又は３５記載の発電装置。
【請求項３７】
空気を取り入れる手段を有する空間を形成するよう外側にかぶせた筒状体のカバーを具えた前記二次燃焼室を具えた請求項２８、２９、３０、３１、３２、３３、３４、３５又は３６記載の発電装置。
【請求項３８】
被乾燥物取入口と循環用取入口と被乾燥物排出口と乾燥物排出口を有する堆積槽と、該被乾燥物排出口から循環用取入口に循環移送する手段を具える乾燥装置の該乾燥物排出口を前記燃焼装置の燃料取入口に誘引気流発生ノズルとして用いた請求項２８、２９、３０、３１、３２、３３、３４、３５、３６又は３７記載の発電装置。
【請求項３９】
前記乾燥装置において、前記被乾燥物排出口と前記循環用取入口とを、送風手段を具えた循環用ダクトによって連通させた請求項２８、２９、３０、３１、３２、３３、３４、３５、３６、又は３８記載の発電装置。
【請求項４０】
前記乾燥槽に回転軸を設け、該回転軸の該槽近傍に攪拌を助長する孔を備えた噴射管を設け、該噴射管の該孔の上方から該孔を覆うようにプレートを斜設し、該噴射管には、圧力空気を供給する手段を設けた請求項２８、２９、３０、３１、３２、３３、３４、３５、３６、３７、３８又は３９記載の発電装置。
【請求項４１】
前記圧力空気を供給する手段は、回転軸によって駆動される送風羽根を設け、該羽根によって昇圧された空気を前記噴射管へ供給することを特徴とする請求項２８、２９、３０、３１、３２、３３、３４、３５、３６、３７、３８、３９又は４０記載の発電装置。
【請求項４２】
前記回転軸は、外軸と中軸とに分かれ、外軸に攪拌羽根、噴射管及びプレートを設け、中軸には送風羽根を設けることを特徴とする請求項２８、２９、３０、３１、３２、３３、３４、３５、３６、３７、３８、３９、４０又は４１記載の発電装置。
【請求項４３】
前記循環用ダクトにおいて、該循環用ダクトの取込口下部内壁及び曲折部内壁に、気流の外側に誘引気流を生じるように圧縮空気の供給手段を備えた気流噴射ノズルを設けた請求項２８、２９、３０、３１、３２、３３、３４、３５、３６、３７、３８、３９、４０、４１又は４２記載の発電装置。
【請求項４４】
前記燃焼室外側にヒートポンプの膨張弁から吸熱部までの経路を設け、ヒートポンプの排熱をブロワによって該燃焼室の空気噴射管に供給する請求項２８、２９、３０、３１、３２、３３、３４、３５、３６、３７、３８、３９、４０、４１、４２又は４３記載の発電装置。
【請求項４５】
前記燃焼室の排熱を利用して蒸気を発生させる排熱ボイラと該排熱ボイラで生成される蒸気によって作動する蒸気タービン発電を備えた請求項２８、２９、３０、３１、３２、３３、３４、３５、３６、３７、３８、３９、４０、４１、４２、４３又は４４記載の発電装置。
【請求項４６】
乾燥行程において、蒸気タービンから排出される蒸気の排熱を利用する熱交換機を設け、該熱交換機から供給される温風又は熱風を循環用の送風機から取り込む請求項２８、２９、３０、３１、３２、３３、３４、３５、３６、３７、３８、３９、４０、４１、４２、４３、４４又は４５記載の発電装置。
【請求項４７】
可燃性固形廃棄物裁断機と可燃性固形廃棄物の気流乾燥装置と可燃性固形廃棄物を燃料とする二次燃焼装置を備えた燃焼装置と燃焼装置の排熱を利用する排熱ボイラと蒸気タービン発電機とヒートポンプを備えた発電装置において、燃焼装置の一部又は全部を熱電発電モジュールで形成し、熱電発電と蒸気タービン発電機とによって同一の熱源を効率よく利用する発電システム。
【請求項４８】
前記発電システムにおいて、燃焼室を筒状に形成し、該燃焼室内部に炎の外側を廻旋する空気によって炎に燃焼用空気を供給するために、該燃焼室の内側面に給気口を具え側面に孔を設けた筒状の空気噴射管を炎の進行方向に沿うように設けた空気噴射管を備え、該空気噴射管の前記孔近傍に風向板を該空気噴射管に沿って設け、進行してくる炎を制御し滞留させる該燃焼室内部に通炎手段を設けた仕切を具え、該燃焼室の側面に可燃性固形廃棄物投入口をパイプで成し、該パイプの内壁に該燃焼室までの誘引気流を生じるように気流噴射ノズルを設けた雑多な可燃性廃棄物を再資源化する請求項４７記載の発電システム。
【請求項４９】
前記発電システムにおいて、気流乾燥装置で可燃性廃棄物を乾燥槽内で被乾燥物を攪拌しながら空気を供給し、蒸気タービンから排出される蒸気の排熱を利用した温風又は熱風により被乾燥物を該乾燥槽の下部から上部に繰り返し気流搬送することにより、被乾燥物を空気に接触する機会と面積を増大させて効率的に乾燥し、気流乾燥装置の排気とともに乾燥物を燃焼装置に投入し、気流乾燥装置の排気を燃焼装置の燃焼用空気に用いることにより被乾燥物である可燃性廃棄物の臭気を除去する請求項４７又は４８記載の発電システム。
【請求項５０】
前記発電システムにおいて、前記燃焼室の外側にヒートポンプの膨張弁から吸熱部までの経路を配して該燃焼室の内外の温度差を拡大し、ヒートポンプの排熱をブロワによって該燃焼室の空気噴射管に供給する請求項４７、４８又は４９記載の発電システム。
【請求項５１】
前記発電システムにおいて、可燃性固形を燃料とする二次燃焼装置を備えた燃焼装置の排気を燃焼用空気の一部として取り込むように廃棄物可燃性液体廃棄物を燃料とする二次燃焼装置を備えた燃焼装置を連結した請求項４７、４８、４９又は５０記載の発電システム。
【発明の詳細な説明】
【技術分野】
【０００１】  本発明は同一の熱源を利用して、熱電発電と蒸気タービン発電を同時に行う効率的な発電システムに関する。
【背景技術】
【０００２】  特許第４４５７２１５号で開示されている高温耐久性のある熱電発電モジュールの発明により、燃焼室の一部又は全部を該熱電発電モジュールで形成する発電装置が可能となり、燃焼熱を利用して熱エネルギーを減じることなく熱電発電するとともに蒸気タービンによる発電をすることで、同一の熱源を利用した効率的な発電が可能となる。【０００３】  特許第３３１８７４８号で開示されている燃焼室を筒状に形成し空気を廻旋させ炎の進行にあわせて炎の外側から炎に燃焼用空気を継続的に供給することで燃焼面積を炎の進行方向に拡大させ、燃焼室を形成する発電モジュールの部分的な過熱による劣化を防ぐことが可能となる。【０００４】  燃焼室内に通炎手段を設けた仕切を赤熱可能な素材を用いることにより、燃焼温度の低下を防ぐとともに燃焼を促進し、また、特許第３３１８７４８号で開示されている熱電発電機能を有する管材を用いることにより、発電しながら蒸気を生成することが可能となる。【０００５】  空気を廻旋させて燃焼している燃焼装置において、燃焼室内に風向板による部分的な負圧と固形燃料投入口で燃焼室への誘引気流を生じさせることにより、従来不可能であった固形燃料の連続投入が可能となる。【０００６】  二次燃焼において、燃焼に伴う気流で生じる負圧を利用する自然吸気による炎の外側からと炎の進行方向の後方からとを交互に繰り返しながら炎に燃焼用空気を継続的に供給することで、雑多な素材を含む可燃性廃棄物の完全燃焼が可能となる。【０００７】  特許第４２２１６１７号で開示されている乾燥方法を応用し、気流乾燥装置において、雑多な素材を含む可燃性廃棄物を乾燥槽内で攪拌しながら浮遊させ下方から空気を供給し被乾燥物を乾燥槽の下部から上部に繰り返し気流搬送することで空気に接する機会と面積を増大させ、蒸気タービン発電装置の廃蒸気の排熱を利用して気流乾燥することにより、燃焼温度の一時的な低下を防ぎ安定した燃焼と発電の確保が可能となる。【０００８】  前述の気流乾燥装置から排出される排気を燃焼装置の燃焼用空気として取り込むことにより、排気を高温燃焼させることで臭気を除去することが可能となる。【０００９】  二次燃焼において、雑多な素材を含む可燃性廃棄物を燃料とする燃焼装置の排気を廃油等の粘度の高い液体燃料を燃料とする燃焼装置の燃焼用空気の一部として利用することにより完全燃焼が可能となるとともに、該可燃性廃棄物を燃料とする燃焼装置の排熱を利用することにより粘度の高い廃油等を燃料として使用が可能となる。
【先行技術文献】
【特許文献】
【００１０】
【特許文献１】特許第４４５７２１５号公報
【特許文献２】特許第３３１８７４８号公報
【特許文献３】特許第４２２１６１７号公報
【発明が解決しようとする課題】
【００１１】  温度差を利用する熱電発電において、熱電発電装置の燃焼室の一部又は全部を熱電発電モジュールによって形成することにより、燃焼室の内外の温度差によって熱エネルギーを低減することなく発電する方法を提供する。
【００１２】  前記燃焼室の同一の熱源を利用した熱電発電と蒸気タービンによる同時発電を可能にする発電システムを提供する。
【００１３】  雑多な素材を含む可燃性廃棄物は、高水分の燃焼温度を低下させる生ごみや燃焼させるために空気を大量に必要とする石油製品等を分別することなく燃料として使用し、燃焼に伴う同一の熱源を利用して熱電発電と蒸気タービンによる発電によって可燃性廃棄物の再資源化する発電システムを提供する。
【課題を解決するための手段】
【００１４】  温度差を利用して熱エネルギーを減じることなく熱電発電をするために、熱電発電装置の燃焼室の一部又は全部を熱電発電モジュールにより形成する。
【００１５】  前記燃焼室を形成する熱電発電モジュールの部分的な過熱による劣化を防ぐことと安定した燃焼と発電を確保するために、燃焼室内部に廻旋する空気によって炎の外側から空気を供給するための空気噴射管を設け、燃焼室内部に廻旋する空気の方向を変えるためと燃焼室内に負圧を生じさせるために風向板を設け、燃焼温度の低下を防ぎ燃焼を促進するために燃焼室内部に進行してくる炎を制御し滞留させる通炎手段を具える仕切を設ける。
【００１６】  固体燃料を連続投入するために、前記燃焼室の風向板で生じる負圧と燃焼室の側面に固形燃料投入口をパイプで形成し内部に燃焼室までの誘引気流を生じさせる空気噴射ノズルを設けることにより固形燃料の連続投入を可能にする。
【００１７】  雑多な素材を含む可燃性廃棄物の予測の出来ない燃焼空気不足を補うために、前記燃焼室に連なる燃焼に伴う気流による負圧を利用した自然吸気式の炎の外側から空気を供給する機能を有する側面に孔を設けた筒状の二次燃焼室を設け、さらに燃焼用空気を供給しながら燃焼を促進するために、該二次燃焼室と連通している、炎に対し燃焼に伴う気流による負圧を利用した自然吸気式の炎の進行方向の後方から空気を供給する機能を有する前記二次燃焼室より広径な二次燃焼室を設ける。
【００１８】  燃焼の促進と燃焼温度の低下を防ぐために、前記広径な二次燃焼室内部又は底部に通炎手段を設けた赤熱可能な素材等により仕切を設ける。
【００１９】  雑多な素材を含む可燃性廃棄物の燃焼用空気の不足を解消するまで、前記各二次燃焼室を交互に重ね合わせる。
【００２０】  前記二次燃焼室において、燃焼用空気を気流としてさらなる燃焼を促進するために空気を取り入れる手段を有する空間を形成するよう外側にかぶせた筒状体のカバーを設ける。
【００２１】  発電装置において、高水分の可燃性廃棄物を予め乾燥させることにより燃焼温度の低下を防ぎ、安定した燃焼と発電するために気流乾燥装置を具える。
【００２２】  気流乾燥装置において、乾燥槽内で被乾燥物を攪拌しながら浮遊させ下方から空気を供給し乾燥槽の下部から上部に繰り返し気流搬送することにより被乾燥物の空気に接する機会と面積を増大させ効率的に乾燥する。
【００２３】  気流乾燥装置において、循環用ダクトの取込口下部内壁及び曲折部内壁に前記被乾燥物を空気とともに吹き上げる気流の外側に誘引気流を生じるように空気噴射ノズルを設けることにより前記被乾燥物をスムーズに循環させる。
【００２４】  気流乾燥装置の排気を燃焼装置の燃焼用空気に用いることにより、被乾燥物である可燃性廃棄物の臭気を除去する。
【００２５】  効率の良い乾燥をするためにヒートポンプで生じる排熱を被乾燥物の気流搬送用空気に使用し、効率の良い発電をするためにヒートポンプで生じる冷風又は冷媒を燃焼室の外側に供給する。
【００２６】  同一の熱源を利用して熱電発電と蒸気発電タービンとによって効率的な発電を行うために、熱電発電モジュールで形成された可燃性廃棄物を燃料とする発電装置と、該発電装置の燃焼熱を利用して蒸気を発生させるボイラと、該ボイラで生成される蒸気により作動して発電を行う蒸気タービン発電機と、可燃性廃棄物気流乾燥装置と、ヒートポンプを備えた可燃性廃棄物を燃料とする発電システムを構築する。
【発明の効果】
【００２７】  熱電発電モジュールによって発電装置の燃焼室の一部又は全部を形成することにより燃焼室の内外の温度差を利用することで、熱電発電を効率的に行うことが出来る。
【００２８】  発電装置の燃焼室の一部又は全部を熱電発電モジュールで形成することにより、該燃焼室の燃焼熱を利用して熱エネルギーを減じることなく熱電発電するとともに燃焼室の燃焼熱を利用して蒸気タービンによる発電することで、同一の熱源を効率的に発電することが可能となる。
【００２９】  燃焼室において、炎の外側を廻旋する空気によって炎の外側から空気を供給することにより炎と熱電発電モジュールで形成された燃焼室の内壁との間に空間を設けることにより、また、炎の進行に沿って継続的に空気を供給することで燃焼面積が炎の進行方向に拡大することにより部分的な過熱を防ぐことが可能となり、発電装置の耐久性を高じる事が出来る。
【００３０】  燃焼室において、燃焼室内に進行してくる炎を制御するように設けた仕切を赤熱する素材で設けることにより燃焼温度の低下を防ぎ炎とともに進行してくる燃焼ガスの燃焼を促進し、また熱電発電機能を有する管材で設けることにより発電するとともに蒸気を生成することが可能となる。
【００３１】  二次燃焼において、燃焼に伴う気流の負圧を利用した自然吸気による炎の外側から空気を供給することと、炎の進行方向の後方から空気を供給することを繰り返すことにより、雑多な素材を含む可燃性廃棄物を燃焼する際の空気の供給不足を補う事が出来る。
【００３２】  炎の外側を廻旋する空気によって炎の外側から空気を供給する燃焼装置において、風向板を設けること、固形燃料投入口をパイプで形成し内部に燃焼室までの誘引気流を生じさせる空気噴射ノズルを設けることにより固形燃料の連続投入を可能にする。
【００３４】  気流乾燥装置により高水分の可燃性廃棄物を予め乾燥させることにより、燃焼温度の低下を防ぎ、安定した効率の良い燃焼と発電を可能とする。
【００３５】  気流乾燥装置において、乾燥槽内で被乾燥物を攪拌しながら被乾燥物を浮遊させ下方から空気を供給し該被乾燥物を該乾燥槽の下部から上部に繰り返し気流搬送することにより空気に接する機会と面積を増大させて効率的に乾燥する。
【００３６】  気流乾燥装置において、循環用ダクトの取込口下部内壁及び曲折部内壁に前記被乾燥物を空気とともに吹き上げる気流の外側に誘引気流を生じるように空気噴射ノズルを設けることにより、前記被乾燥物をスムーズに循環させる。
【００３７】  気流乾燥装置の排気を燃焼装置の燃焼用空気に用いることにより、被乾燥物である可燃性廃棄物の臭気を除去する。
【００３８】  ヒートポンプで生じる排熱を循環用空気に使用することで乾燥効率を高じ、冷風又は冷媒を燃焼室の外側に供給することで発電効率を高じる。
【００３９】  熱電発電モジュールで形成された可燃性廃棄物を燃料とする発電装置と、発電装置の燃焼熱を利用して蒸気を発生させるボイラと、ボイラで生成される蒸気により作動して発電を行う蒸気タービン発電装置と、可燃性廃棄物気流乾燥装置とを備えた可燃性廃棄物を燃料とする発電システムを構築することにより、可燃性廃棄物の再資源化、同一の熱源を利用して熱電発電と蒸気タービン発電を同時にすることにより効率的な発電が可能となる。
【図面の簡単な説明】
【００４０】
【図１】本発明の一実施例の発電システムの概略図を示す。
【発明を実施するための形態】
【００４１】      電気的絶縁性の素材で形成した容体の内側の対向面上に夫々連続的に形成されてされ両端に生ずる温度差で発電を行う複数個の熱伝変換素子１ｃと電気出力端子１ｋを備えた熱電発電モジュールによって側面の一部を形成した筒状の燃焼室１を有する熱電発電装置において、
該燃焼室１の内側面にブロワ１ｍとダクト１ｌによって連通した複数の孔１ｇを側面に具えた筒状の空気噴射管１ｅを炎の進行方向に沿うように設けた、該空気噴射管１ｅの孔１ｇ近傍に風向板１ｆを該空気噴射管１ｅに沿って設けた、該燃焼室内部に複数の孔１ｊを具えた赤熱盤１ｉを設けた、気流噴射ノズル１ｂを備えた点火口を兼ねたパイプ状の投入口１ａとボイラ４を内通して二次燃焼３に連通する排煙筒１ｄを有する該燃焼室１と、
排気口３ｃを有する底面に複数の孔３ｂを具えて内部に複数の孔３ｂを具えた赤熱盤３ａを設けた広径な二次燃焼室３を炎の進行方向先方に連通した、給気口２ｃを有する筒状のカバー２ｂを有する側面に千鳥の列をなすように複数の孔２ａ設けた筒状の二次燃焼室２と
廃蒸気筒６ａを有しダクト６ｂに連通する熱交換機６と蒸気管５ａによって連通する蒸気タービン発電装置５と蒸気管４ａによって連通する該ボイラ４と
該気流噴射ノズル１ｂと８ｌによって連通し、搬送装置７ａによって裁断機７と連なり、該熱交換機６と該ダクト６によって連なるブロワ８ｍと、排出管８ｈと循環用ダクト８ｋとの接合部分付近の下部内壁及び曲折部内壁に気流の外側に誘引気流を生じるように気流噴射ノズル８ｉを備えた該循環用ダクト８ｋと連通するサイクロン８を具えた乾燥槽８に、モーター８ａに接続している該槽近傍に複数の孔８ｆを備えた空気噴射管８ｅと該空気噴射管８ｅの該孔８ｆの上方から該孔８ｆを覆うようにプレート８ｇを斜設した回転外軸８ｃ及び送風羽根８ｂを具えた回転中軸８ｄを設けた気流乾燥装置と
該燃焼室１の外側にヒートポンプ８の膨張弁９ｄと吸熱部９ｂとの経路を設け、放熱部９ａを該ブロワに隣接した該ヒートポンプ８とを具える発電システム。
【符号の説明】
【００４２】１      燃焼装置
１ａ    投入口
１ｂ    気流噴射ノズル
１ｃ    熱電変換素子
１ｄ    排煙筒
１ｅ    空気噴射管
１ｆ    風向板
１ｇ    孔
１ｉ    赤熱盤
１ｊ    孔
１ｋ    電気出力端子
１ｌ    ダクト
１ｍ    ブロワ
２      二次燃焼室
２ａ    孔
２ｂ    カバー
２ｃ    給気口
３      広径な二次燃焼室
３ａ    赤熱盤
３ｂ    孔
３ｃ    排気管
４      ボイラ
４ａ    蒸気管
５      蒸気タービン発電装置
５ａ    蒸気管
６      熱交換機
６ａ    廃蒸気管
６ｂ    ダクト
７      裁断機
７ａ    搬送装置
８      気流乾燥装置
８ａ    モーター
８ｂ    送風羽根
８ｃ    回転外軸
８ｄ    回転中軸
８ｅ    空気噴射管
８ｆ    孔
８ｇ    プレート
８ｈ    排出管
８ｉ    気流噴射ノズル
８ｊ    サイクロン
８ｋ    循環用ダクト
８ｌ    ダクト
８ｍ    ブロワ
９      ヒートポンプ
９ａ    放熱部
９ｂ    吸熱部
９ｃ    圧縮機
９ｄ    膨張弁
【図１】
2012228159.tif 000003